【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
磁性体と前記磁性体に巻回された第１のコイルとを有するＲＦＩＤのセンサ又はＩＣタグ若しくは非接触ＩＣカードと、前記第１のコイルの軸方向と直交する軸方向となるように前記磁性体の面上に渦巻き状に形成される第２のコイルと前記第２のコイルに接続される第１のコンデンサとを有する第１の共振器と、を備えることを特徴とする共振器付フィールド改善システム。
【請求項２】
請求項１に記載の共振器付フィールド改善システムにおいて、
前記第１のコイルは前記磁性体の端部に巻回され、前記第２のコイルは前記第１のコイルが前記磁性体に巻回されていない面上に形成されることを特徴とする共振器付フィールド改善システム。
【請求項３】
請求項１又は２に記載の共振器付フィールド改善システムにおいて、
前記第１のコイルの軸方向と平行する軸方向となるように前記磁性体に巻回された第３のコイルと前記第３のコイルに接続される第２のコンデンサとを有する第２の共振器を備えることを特徴とする共振器付フィールド改善システム。
【請求項４】
請求項３に記載の共振器付フィールド改善システムにおいて、
前記第２の共振器は、前記第１のコイルと前記第１の共振器との間に配置することを特徴とする共振器付フィールド改善システム。
【請求項５】
請求項１乃至４のいずれかに記載の共振器付フィールド改善システムにおいて、
前記第１のコイルの軸と平行する軸方向で且つ励振される磁界の向きが前記第１のコイルにより発生する磁界の向きと逆向きになるように前記磁性体に巻回された第４のコイルと前記第４のコイルに接続される第３のコンデンサとを有する第３の共振器を備えることを特徴とする共振器付フィールド改善システム。
【請求項６】
請求項５に記載の共振器付フィールド改善システムにおいて、
前記第３の共振器は、前記第１のコイルが巻回された前記磁性体の端部とは異なる他方の端部に配置することを特徴とする共振器付フィールド改善システム。
【請求項７】
請求項１乃至６のいずれかに記載の共振器付フィールド改善システムにおいて、
前記磁性体は、前記第１のコイルの軸方向に垂直な断面が矩形又は円形の形状であることを特徴とする共振器付フィールド改善システム。
【請求項８】
請求項１乃至７のいずれかに記載の共振器付フィールド改善システムにおいて、
前記ＲＦＩＤのセンサと前記ＩＣタグ又は非接触ＩＣカードとの間で伝送された信号を読み取るリーダライタと、前記リーダライタが読み取った信号に基づき前記ＩＣタグ又は非接触ＩＣカードが取り付けられた物を管理するコンピュータと、を備えることを特徴とする共振器付フィールド改善システム。
【手続補正２】
【補正対象書類名】明細書
【補正対象項目名】０００６
【補正方法】変更
【補正の内容】
【０００６】
本発明は、上述の目的を達成するために、共振器付フィールド改善システムを次の（１）〜（８）に示すとおりのものとする。
【手続補正３】
【補正対象書類名】明細書
【補正対象項目名】０００７
【補正方法】変更
【補正の内容】
【０００７】
（１）磁性体と前記磁性体に巻回された第１のコイルとを有するＲＦＩＤのセンサ又はＩＣタグ若しくは非接触ＩＣカードと、前記第１のコイルの軸方向と直交する軸方向となるように前記磁性体の面上に渦巻き状に形成される第２のコイルと前記第２のコイルに接続される第１のコンデンサとを有する第１の共振器と、を備えることを特徴とする共振器付フィールド改善システム。
（２）前記（１）に記載の共振器付フィールド改善システムにおいて、前記第１のコイルは前記磁性体の端部に巻回され、前記第２のコイルは前記第１のコイルが前記磁性体に巻回されていない面上に形成されることを特徴とする共振器付フィールド改善システム。
（３）前記（１）又は（２）に記載の共振器付フィールド改善システムにおいて、前記第１のコイルの軸方向と平行する軸方向となるように前記磁性体に巻回された第３のコイルと前記第３のコイルに接続される第２のコンデンサとを有する第２の共振器を備えることを特徴とする共振器付フィールド改善システム。
（４）前記（３）に記載の共振器付フィールド改善システムにおいて、前記第２の共振器は、前記第１のコイルと前記第１の共振器との間に配置することを特徴とする共振器付フィールド改善システム。
（５）前記（１）乃至（４）のいずれかに記載の共振器付フィールド改善システムにおいて、前記第１のコイルの軸と平行する軸方向で且つ励振される磁界の向きが前記第１のコイルにより発生する磁界の向きと逆向きになるように前記磁性体に巻回された第４のコイルと前記第４のコイルに接続される第３のコンデンサとを有する第３の共振器を備えることを特徴とする共振器付フィールド改善システム。
（６）前記（５）に記載の共振器付フィールド改善システムにおいて、前記第３の共振器は、前記第１のコイルが巻回された前記磁性体の端部とは異なる他方の端部に配置することを特徴とする共振器付フィールド改善システム。
（７）前記（１）乃至（６）のいずれかに記載の共振器付フィールド改善システムにおいて、前記磁性体は、前記第１のコイルの軸方向に垂直な断面が矩形又は円形の形状であることを特徴とする共振器付フィールド改善システム。
（８）前記（１）乃至（７）のいずれかに記載の共振器付フィールド改善システムにおいて、前記ＲＦＩＤのセンサと前記ＩＣタグ又は非接触ＩＣカードとの間で伝送された信号を読み取るリーダライタと、前記リーダライタが読み取った信号に基づき前記ＩＣタグ又は非接触ＩＣカードが取り付けられた物を管理するコンピュータと、を備えることを特徴とする共振器付フィールド改善システム。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００３８
【補正方法】変更
【補正の内容】
【００３８】
特殊な場合、下方に共振器を取り付け、金属板の代わりとし、金属板と同様な効果を持たせることもできる。例えば、１３．５６ＭＨｚ帯で用いる場合、上の共振回路の共振周波数を１４〜１４．２ＭＨｚとし、下の共振回路の共振周波数を１３〜１３．３ＭＨｚに調整する。
【手続補正１８】
【補正対象書類名】明細書
【補正対象項目名】００４４
【補正方法】変更
【補正の内容】
【００４４】
図６には、磁性体棒による共振器の例を示す。図６（ａ）は、磁性体丸棒にコイル５を巻き、コイル５の両端にコンデンサ７を取り付け共振を取り、これを磁界の通路に置き磁界を強めるもので、磁性体６の比透磁率μｒの大きさと共振電流の大きさの両方で磁界を強める効果を持つ。この場合、比透磁率が大きければ、磁性体６の断面積が小さくても磁束密度は増加でき、したがって小形に実現することができる。